【手続補正書】
【提出日】平成18年8月1日(2006.8.1)
【手続補正１】
【補正対象書類名】明細書
【補正対象項目名】特許請求の範囲
【補正方法】変更
【補正の内容】
【特許請求の範囲】
【請求項１】  擬似ランダムビットシーケンスを発生させるための装置であって、
（ａ）  １つまたはそれ以上の基準が満たされる場合に、修飾された擬似ランダムビットシーケンスの次のビットとして「０」または「１」を選択するステップを含み、前記基準は、前記修飾された擬似ランダムビットシーケンスの前の複数のビットの、測定された特性に基づき、さもなければ、
（ｂ）  前記修飾された擬似ランダムビットシーケンスの次のビットとして初期擬似ランダムビットシーケンスの次のビットを選択するステップを含み、前記初期擬似ランダムビットシーケンスの次のビットは、前記初期擬似ランダムビットシーケンスの前の１つまたはそれ以上のビットの関数である、方法。
【請求項２】  前記ステップ（ａ）が、
前記１つまたはそれ以上の「０」選択基準が満たされる場合に、前記次のビットとして「０」を選択するステップを含む、請求項１に記載の方法。
【請求項３】  前記１つまたはそれ以上の「０」選択基準が、前にある「１」の数が、特定の測定値だけ、前にある「０」の数を上回ることである、請求項２に記載の方法。
【請求項４】  前記ステップ（ａ）が、
前記１つまたはそれ以上の「１」選択基準が満たされる場合に、前記次のビットとして「１」を選択するステップを含む、請求項１に記載の方法。
【請求項５】  前記１つまたはそれ以上の「１」選択基準が、前にある「０」の数が、特定の測定値だけ、前にある「１」の数を上回ることである、請求項４に記載の方法。
【請求項６】  前記ステップ（ａ）が、
前記１つまたはそれ以上の「０」選択基準が満たされる場合に、前記次のビットとして「０」を選択するステップと、
前記１つまたはそれ以上の「１」選択基準が満たされる場合に、前記次のビットとして「１」を選択するステップとを含む、請求項１に記載の方法。
【請求項７】  前記ステップ（ａ）が、
前記修飾された擬似ランダムビットシーケンスより前にあるビットの演算平均の測定値を得るステップを含み、前記「０」選択基準および前記「１」選択基準は、前記演算平均の測定値に基づく、請求項６に記載の方法。
【請求項８】  前記「０」選択基準が、前記演算平均の測定値が第１の値より大きいことである、請求項７に記載の方法。
【請求項９】  前記「１」選択基準が、前記演算平均の測定値が第２の値未満であることである、請求項７に記載の方法。
【請求項１０】  前記演算平均の測定値が、前記演算平均の値、または前にある複数のビットに対して平滑化された、それに比例する量である、請求項７に記載の方法。
【請求項１１】  前記演算平均の測定値が、重み付けされた演算平均、または前にある複数のビットに対して加算された、それに比例する量である、請求項７に記載の方法。
【請求項１２】  前記演算平均の測定値が、前記演算平均の和、またはビットｎからビット（ｎ＋ｍ−１）に対する、それに比例する量であり、（ｎ＋ｍ）番目のビットは前記次のビットであり、ｎは、前記ステップ（ａ）を行なった結果として選択された最後のビットの数であり、ｍは１以上の整数値である、請求項７に記載の方法。
【請求項１３】  （ｃ）  前記光ビームが、予め定められたスペースを囲む媒体中を伝搬するようにするステップと、
（ｄ）  前記修飾された擬似ランダムビットシーケンスによって前記光ビームを変調するステップと、
（ｅ）  前記媒体の回転を決定するために、前記ステップ（ｄ）が施された光ビームを処理するステップとをさらに含む、請求項１に記載の方法。
【請求項１４】  請求項１に記載の方法を実施するための装置。
【請求項１５】  擬似ランダムビットシーケンスを発生させるための装置であって、
（ａ）  １つまたはそれ以上の基準が満たされる場合に、前記修飾された擬似ランダムビットシーケンスを次のビットとして「０」または「１」を選択するための手段を含み、前記基準は、前記修飾された擬似ランダムビットシーケンスの前の複数のビットの、測定された特性に基づき、
（ｂ）  １つまたはそれ以上の基準が満たされない場合に、前記修飾された擬似ランダムビットシーケンスの次のビットとして初期擬似ランダムビットシーケンスの次のビットを選択するための手段を含み、前記初期擬似ランダムビットシーケンスの次のビットは、前記初期擬似ランダムビットシーケンスの前の１つまたはそれ以上のビットの関数である、装置。
【請求項１６】  前記手段（ａ）が、
前記１つまたはそれ以上の「０」選択基準が満たされる場合に、前記次のビットとして「０」を選択するための手段を含む、請求項１５に記載の装置。
【請求項１７】  前記１つまたはそれ以上の「０」選択基準が、前にある「１」の数が、特定の測定値だけ、前にある「０」の数を上回ることである、請求項１６に記載の装置。
【請求項１８】  前記手段（ａ）が、
前記１つまたはそれ以上の「１」選択基準が満たされる場合に、前記次のビットとして「１」を選択するための手段を含む、請求項１５に記載の装置。
【請求項１９】  前記１つまたはそれ以上の「１」選択基準が、前にある「０」の数が、特定の測定値だけ、前にある「１」の数を上回ることである、請求項１８に記載の装置。
【請求項２０】  前記手段（ａ）が、
前記１つまたはそれ以上の「０」選択基準が満たされる場合に、前記次のビットとして「０」を選択するための手段と、
前記１つまたはそれ以上の「１」選択基準が満たされる場合に、前記次のビットとして「１」を選択するための手段とを含む、請求項１５に記載の装置。
【請求項２１】  前記手段（ａ）が、
前記修飾された擬似ランダムビットシーケンスの前のビットの演算平均の測定値を得るための手段をさらに含み、前記「０」選択基準および前記「１」選択基準は、前記演算平均の測定値に基づく、請求項２０に記載の装置。
【請求項２２】  前記「０」選択基準が、前記演算平均の測定値が第１の値より大きいことである、請求項２１に記載の装置。
【請求項２３】  前記「１」選択基準が、前記演算平均の測定値が第２の値未満であることである、請求項２１に記載の装置。
【請求項２４】  前記修飾された擬似ランダムビットシーケンスの最後のビットが、前記装置の出力ポートに現われ、前記手段（ａ）は、
出力ポートにクロック信号を与えるクロックと、
スイッチ制御装置とを含み、前記スイッチ制御装置は、クロック信号入力ポートと、擬似ランダムビット入力ポートと、ビット選択出力ポートと、ソース選択出力ポートとを有し、前記クロックの出力ポートは、前記スイッチ制御装置の前記クロック信号入力ポートに接続され、前記装置の出力ポートは前記擬似ランダムビット入力ポートに接続され、前記スイッチ制御装置は、前記装置によって発生された、前の複数の擬似ランダムビットに基づいて、ビット選択信号およびソース選択信号を発生し、予め定められた方向におけるクロック信号遷移により、前記ビット選択信号が「０」選択状態または「１」選択状態になり、前記予め定められた方向におけるクロック信号遷移により、ソース選択信号がビット選択スイッチ状態またはビット発生器状態になり、前記ビット選択信号およびソース選択信号は、前記スイッチ制御装置の、対応する出力ポートにおいて利用でき、前記手段（ａ）は、
ビット選択スイッチをさらに含み、前記ビット選択スイッチは、「０」入力ポートと、「１」入力ポートと、ビット選択入力ポートと、出力ポートとを有し、「０」に関連した電圧が前記「０」入力ポートに給送され、「１」に関連した電圧が前記「１」入力ポートに給送され、前記スイッチ制御装置のビット選択出力ポートは、前記ビット選択スイッチのビット選択入力ポートに接続され、前記ビット選択スイッチは、前記ビット選択信号が「０」選択状態であるときに前記出力ポートに前記「０」入力ポートを接続し、前記ビット選択スイッチは、前記ビット選択信号が前記「１」選択状態であるときに、前記出力ポートに前記「１」入力ポートを接続し、さらに
ソース選択スイッチを含み、ソース選択スイッチは、ビット選択スイッチ入力ポートと、ビット発生器入力ポートと、ソース選択入力ポートと、出力ポートとを有し、前記ビット選択スイッチの出力ポートは、前記ビット選択スイッチ入力ポートに接続され、前記スイッチ制御装置の前記ソース選択出力ポートは、前記ソース選択入力ポートに接続され、前記ソース選択スイッチは、前記ソース選択信号がビット選択スイッチ状態であるときに前記出力ポートに前記ビット選択スイッチ入力ポートを接続し、前記ソース選択スイッチの出力ポートは、前記装置の出力ポートである、請求項１５に記載の装置。
【請求項２５】  前記スイッチ制御装置が、
アップダウンカウンタを含み、前記予め定められた方向においてクロック信号の遷移が起こるときに、前記擬似ランダムビット入力ポートにおけるビットが「１」または「０」であればそれぞれ、前記カウンタのカウント値が１だけ増加または減少し、前記スイッチ制御装置はさらに
演算論理装置を含み、前記演算論理装置は、クロック信号入力ポート、第１のデータ入力ポートと、第２のデータ入力ポートと、データ出力ポートとを有し、前記クロック信号は前記クロック信号入力ポートに給送され、前記アップダウンカウンタのカウント値は前記第１のデータ入力ポートに給送され、前記スイッチ制御装置はさらに
レジスタを含み、前記レジスタは、クロック信号入力ポートと、データ入力ポートと、クリアデータ入力ポートと、データ出力ポートとを有し、前記演算論理装置のデータ出力ポートは前記データ入力ポートに接続され、前記レジスタのデータ出力ポートは前記演算論理装置の前記第２のデータ入力ポートに接続され、前記演算論理装置は、前記予め定められた方向において前記クロック信号の遷移が起こるときに、前記レジスタの内容と前記アップダウンカウンタのカウント値との和がそのデータ出力ポートに利用できるようにし、和が正であれば前記ビット選択信号が「０」選択状態になり、和が負であれば前記ビット選択信号が前記「１」選択状態になり、前記演算論理装置のデータ出力ポートにおけるデータは、前記予め定められた方向に前記クロック信号の遷移が起こるときに前記レジスタに格納され、前記ソース選択出力ポートは、前記クリアデータ入力ポートに接続され、
前記レジスタは、前記ソース選択信号が前記ビット選択スイッチ状態であるときにクリアされる、請求項２４に記載の装置。
【請求項２６】  前記スイッチ制御装置が、データ入力ポートと出力ポートとを有する限界外検出器をさらに含み、前記データ入力ポートは、前記演算論理装置のデータ出力ポートに接続され、前記限界外検出器の出力ポートは、前記スイッチ制御装置のソース選択出力ポートであり、前記限界外検出器は、前記データ入力ポートにおけるデータが第１の値より大きく第２の値未満である場合に前記ソース選択信号をビット発生器状態にし、前記第２の値は前記第１の値より大きく、さもなければ、前記限界外検出器は、前記ソース選択信号を前記ビット選択スイッチ状態にする、請求項２５に記載の装置。
【請求項２７】  前記手段（ｂ）が、
初期擬似ランダムビットシーケンス発生器を含み、前記初期擬似ランダムビットシーケンス発生器は、クロック信号入力ポートと、動作制御ポートと、出力ポートとを有し、前記クロックの出力ポートは前記クロック信号入力ポートに接続され、予め定められた方向におけるクロック信号の遷移により、前記初期擬似ランダムビットシーケンス発生器の動作が能動化されたときに、新しい擬似ランダムビットが前記出力ポートに現われるようになり、前記初期擬似ランダムビットシーケンス発生器の出力ポートは、前記ソース選択スイッチのビット発生器入力ポートに接続され、前記ソース選択スイッチは、前記ソース選択信号が前記ビット発生器状態であるときに前記出力ポートに前記ビット発生器入力ポートを接続し、前記スイッチ制御装置のソース選択出力ポートは、前記初期擬似ランダムビットシーケンス発生器の前記動作制御ポートに接続され、前記初期擬似ランダムビットシーケンス発生器の動作は、前記ソース選択信号が前記ビット発生器状態にあるときに能動化され、前記擬似ランダムビット発生器の動作は、前記ソース選択信号が前記ビット選択スイッチ状態であるときに阻止される、請求項２４に記載の装置。
【請求項２８】  光源と、
光ファイバのコイルとをさらに含み、前記光源によって発生する光は前記光ファイバ中を伝搬し、さらに
前記修飾された擬似ランダムビットシーケンスによって前記光ファイバ中を伝搬する光を変調するための変調器と、
前記光ファイバ中を進行した前記光から、前記コイルの回転を決定するためのプロセッサとをさらに含む、請求項１５に記載の装置。